【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記モータの動力を、前記第１のかごの前記両開きドアの一方のドアに伝達する動力伝達手段と、
前記第１のかごの前記両開きドアの一方のドアの開閉動作を、他方のドアに伝達する第１のシーブと、
前記第２のかごの前記両開きドアの一方のドアの開閉動作を、他方のドアに伝達する第２のシーブと、
前記第１のシーブの動きを前記第２のシーブに伝達する第３のシーブと、
を備えたことを特徴とするダブルデッキエレベータのドア装置。
【請求項２】
前記モータと前記制御装置は、上下に配設された前記２つのかごに対して、上側のかごの上部、前記２つのかごの間、下側のかごの下部、のいずれかに設けられていることを特徴とする請求項１記載のダブルデッキエレベータのドア装置。
【請求項３】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記モータの動力を、前記第１のかごの前記両開きドアの一方のドアに伝達する動力伝達手段と、
前記第１のかごの前記両開きドアの一方のドアの開閉動作を他方のドアに伝達するシーブと、
前記第１のかごの一方のドアと前記第２のかごの一方のドアとを連結し、前記第１のかごの一方のドアの開閉動作を前記第２のかごの一方のドアに伝達する第１の連結金具と、
前記第１のかごの他方のドアと前記第２のかごの他方のドアとを連結し、前記第１のかごの他方のドアの開閉動作を前記第２のかごの他方のドアに伝達する第２の連結金具と、
を備えたことを特徴とするダブルデッキエレベータのドア装置。
【請求項４】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記第１のかごの前記両開きドアの一方のドアの開閉動作を、他方のドアに伝達する第１のシーブと、
前記第２のかごの前記両開きドアの一方のドアの開閉動作を、他方のドアに伝達する第２のシーブと、
前記モータの動力を前記第１のシーブに伝達する第３のシーブと、
この第３のシーブと第１のシーブとの間の動力伝達を断続する第１のクラッチと、
前記第３のシーブの動力を前記第２のシーブに伝達する第４のシーブと、
前記第３のシーブと前記第４のシーブとの間の動力伝達を断続する第２のクラッチと、
前記第１のシーブに設けられ、前記第１のかごのドアを所定の方向に付勢する第１の付勢手段と、
前記第２のシーブに設けられ、前記第２のかごのドアを所定の方向に付勢する第２の付勢手段と、
を備えたことを特徴とするダブルデッキエレベータのドア装置。
【請求項５】
前記モータと前記制御装置は、上下に配設された前記２つのかごに対して、上側のかごの上部、前記２つのかごの間、下側のかごの下部、のいずれかに設けられていることを特徴とする請求項４記載のダブルデッキエレベータのドア装置。
【請求項６】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記第１のかごの前記両開きドアの一方のドアの開閉動作を、他方のドアに伝達する第１のシーブと、
前記第２のかごの前記両開きドアの一方のドアの開閉動作を、他方のドアに伝達する第２のシーブと、
前記モータの動力を前記第１のシーブに伝達する第３のシーブと、
この第３のシーブと第１のシーブとの間の動力伝達を断続する第１のクラッチと、
前記第３のシーブの動力を前記第２のシーブに伝達する第４のシーブと、
前記第４のシーブと前記第２のシーブとの間の動力伝達を断続する第２のクラッチと、
前記第１のシーブに設けられ、前記第１のかごのドアを所定の方向に付勢する第１の付勢手段と、
前記第２のシーブに設けられ、前記第２のかごのドアを所定の方向に付勢する第２の付勢手段と、
を備えたことを特徴とするダブルデッキエレベータのドア装置。
【請求項７】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記第１のかごの前記両開きドアの一方のドアの開閉動作を、他方のドアに伝達する第１のシーブと、
前記第２のかごの前記両開きドアの一方のドアの開閉動作を、他方のドアに伝達する第２のシーブと、
前記モータの動力を前記第１のシーブに伝達する第３のシーブと、
この第３のシーブと第１のシーブとの間の動力伝達を断続する第１のクラッチと、
前記モータの動力を逆転して前記第１のシーブに伝達するたすき掛けされた第４のシーブと、
この第４のシーブと第１のシーブとの間の動力伝達を断続する第２のクラッチと、
前記第３のシーブ又は第４のシーブの動力を前記第２のシーブに伝達する第５のシーブと、
前記第３のシーブと前記第５のシーブとの間の動力伝達を断続する第３のクラッチと、
前記第４のシーブと前記第５のシーブとの間の動力伝達を断続する第４のクラッチと、
を備えたことを特徴とするダブルデッキエレベータのドア装置。
【請求項８】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記第１のかごの前記両開きドアの一方のドアの開閉動作を、他方のドアに伝達する第１のシーブと、
前記第２のかごの前記両開きドアの一方のドアの開閉動作を、他方のドアに伝達する第２のシーブと、
前記モータの動力を前記第１のシーブに伝達する第３のシーブと、
この第３のシーブと第１のシーブとの間の動力伝達を断続する第１のクラッチと、
前記モータの動力を歯車を利用して逆転し、前記第１のシーブに伝達する第４のシーブと、
この第４のシーブと第１のシーブとの間の動力伝達を断続する第２のクラッチと、
前記第３のシーブ又は第４のシーブの動力を前記第２のシーブに伝達する第５のシーブと、
前記第３のシーブと前記第５のシーブとの間の動力伝達を断続する第３のクラッチと、
前記第４のシーブと前記第５のシーブとの間の動力伝達を断続する第４のクラッチと、
を備えたことを特徴とするダブルデッキエレベータのドア装置。
【請求項９】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記第１のかごの前記両開きドアの一方のドアの開閉動作を、他方のドアに伝達する第１のシーブであって、前記両開きドアの一方の側と他方の側とにそれぞれ設けられた２つの回転体の間に配置された第１のシーブと、
前記第２のかごの前記両開きドアの一方のドアの開閉動作を、他方のドアに伝達する第２のシーブであって、前記両開きドアの一方の側と他方の側とにそれぞれ設けられた２つの回転体の間に配置された第２のシーブと、
前記モータの動力を前記第１のシーブの一方の側の回転体に伝達する第３のシーブと、
この第３のシーブと前記第１のシーブの一方の側の回転体との間の動力伝達を断続する第１のクラッチと、
前記モータの動力を逆転して前記第１のシーブの他方の側の回転体に伝達するたすき掛けされた第４のシーブと、
この第４のシーブと前記第１のシーブの他方の側の回転体との間の動力伝達を断続する第２のクラッチと、
前記第１のシーブの一方の回転体と前記第２のシーブの一方の回転体との間に設けられ、前記第３のシーブの動力を前記第２のシーブに伝達する第５のシーブと、
前記第１のシーブの他方の回転体と前記第２のシーブの他方の回転体との間に設けられ、前記第４のシーブの動力を前記第２のシーブに伝達する第６のシーブと、
前記第３のシーブと前記第５のシーブとの間の動力伝達を断続する第３のクラッチと、
前記第４のシーブと前記第６のシーブとの間の動力伝達を断続する第４のクラッチと、
を備えたことを特徴とするダブルデッキエレベータのドア装置。
【手続補正２】
【補正対象書類名】明細書
【補正対象項目名】０００５
【補正方法】変更
【補正の内容】
【０００５】
【課題を解決するための手段】
本発明の第１の特徴は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、モータの動力を、第１のかごの両開きドアの一方のドアに伝達する動力伝達手段と、第１のかごの両開きドアの一方のドアの開閉動作を、他方のドアに伝達する第１のシーブと、第２のかごの両開きドアの一方のドアの開閉動作を、他方のドアに伝達する第２のシーブと、第１のシーブの動きを第２のシーブに伝達する第３のシーブとを備えたダブルデッキエレベータのドア装置である。
【手続補正３】
【補正対象書類名】明細書
【補正対象項目名】０００６
【補正方法】変更
【補正の内容】
【０００６】
本発明の第２の特徴は、モータと制御装置は、上下に配設された２つのかごに対して、上側のかごの上部、２つのかごの間、下側のかごの下部、のいずれかに設けられているダブルデッキエレベータのドア装置である。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明の第３の特徴は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、モータの動力を、第１のかごの両開きドアの一方のドアに伝達する動力伝達手段と、第１のかごの両開きドアの一方のドアの開閉動作を他方のドアに伝達するシーブと、第１のかごの一方のドアと第２のかごの一方のドアとを連結し、第１のかごの一方のドアの開閉動作を第２のかごの一方のドアに伝達する第１の連結金具と、第１のかごの他方のドアと第２のかごの他方のドアとを連結し、第１のかごの他方のドアの開閉動作を第２のかごの他方のドアに伝達する第２の連結金具とを備えたダブルデッキエレベータのドア装置である。
【手続補正７】
【補正対象書類名】明細書
【補正対象項目名】００１０
【補正方法】変更
【補正の内容】
【００１０】
本発明の第４の特徴は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、第１のかごの前記両開きドアの一方のドアの開閉動作を、他方のドアに伝達する第１のシーブと、第２のかごの前記両開きドアの一方のドアの開閉動作を、他方のドアに伝達する第２のシーブと、モータの動力を第１のシーブに伝達する第３のシーブと、この第３のシーブと第１のシーブとの間の動力伝達を断続する第１のクラッチと、第３のシーブの動力を第２のシーブに伝達する第４のシーブと、第３のシーブと第４のシーブとの間の動力伝達を断続する第２のクラッチと、第１のシーブに設けられ、第１のかごのドアを所定の方向に付勢する第１の付勢手段と、第２のシーブに設けられ、第２のかごのドアを所定の方向に付勢する第２の付勢手段とを備えたダブルデッキエレベータのドア装置である。
【手続補正８】
【補正対象書類名】明細書
【補正対象項目名】００１１
【補正方法】変更
【補正の内容】
【００１１】
本発明の第５の特徴は、モータと制御装置は、上下に配設された２つのかごに対して、上側のかごの上部、２つのかごの間、下側のかごの下部、のいずれかに設けられているダブルデッキエレベータのドア装置である。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明の第６の特徴は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、第１のかごの両開きドアの一方のドアの開閉動作を、他方のドアに伝達する第１のシーブと、第２のかごの両開きドアの一方のドアの開閉動作を、他方のドアに伝達する第２のシーブと、モータの動力を第１のシーブに伝達する第３のシーブと、この第３のシーブと第１のシーブとの間の動力伝達を断続する第１のクラッチと、第３のシーブの動力を第２のシーブに伝達する第４のシーブと、第４のシーブと第２のシーブとの間の動力伝達を断続する第２のクラッチと、第１のシーブに設けられ、第１のかごのドアを所定の方向に付勢する第１の付勢手段と、第２のシーブに設けられ、第２のかごのドアを所定の方向に付勢する第２の付勢手段とを備えたダブルデッキエレベータのドア装置である。
【手続補正１２】
【補正対象書類名】明細書
【補正対象項目名】００１５
【補正方法】変更
【補正の内容】
【００１５】
本発明の第７の特徴は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、第１のかごの両開きドアの一方のドアの開閉動作を、他方のドアに伝達する第１のシーブと、第２のかごの両開きドアの一方のドアの開閉動作を、他方のドアに伝達する第２のシーブと、モータの動力を第１のシーブに伝達する第３のシーブと、この第３のシーブと第１のシーブとの間の動力伝達を断続する第１のクラッチと、モータの動力を逆転して第１のシーブに伝達するたすき掛けされた第４のシーブと、この第４のシーブと第１のシーブとの間の動力伝達を断続する第２のクラッチと、第３のシーブ又は第４のシーブの動力を第２のシーブに伝達する第５のシーブと、第３のシーブと第５のシーブとの間の動力伝達を断続する第３のクラッチと、第４のシーブと第５のシーブとの間の動力伝達を断続する第４のクラッチとを備えたダブルデッキエレベータのドア装置である。
【手続補正１３】
【補正対象書類名】明細書
【補正対象項目名】００１６
【補正方法】変更
【補正の内容】
【００１６】
本発明の第８の特徴は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、第１のかごの両開きドアの一方のドアの開閉動作を、他方のドアに伝達する第１のシーブと、第２のかごの両開きドアの一方のドアの開閉動作を、他方のドアに伝達する第２のシーブと、モータの動力を第１のシーブに伝達する第３のシーブと、この第３のシーブと第１のシーブとの間の動力伝達を断続する第１のクラッチと、モータの動力を歯車を利用して逆転し、第１のシーブに伝達する第４のシーブと、この第４のシーブと第１のシーブとの間の動力伝達を断続する第２のクラッチと、第３のシーブ又は第４のシーブの動力を第２のシーブに伝達する第５のシーブと、第３のシーブと第５のシーブとの間の動力伝達を断続する第３のクラッチと、第４のシーブと第５のシーブとの間の動力伝達を断続する第４のクラッチとを備えたダブルデッキエレベータのドア装置である。
【手続補正１４】
【補正対象書類名】明細書
【補正対象項目名】００１７
【補正方法】変更
【補正の内容】
【００１７】
本発明の第９の特徴は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、第１のかごの両開きドアの一方のドアの開閉動作を、他方のドアに伝達する第１のシーブであって、両開きドアの一方の側と他方の側とにそれぞれ設けられた２つの回転体の間に配置された第１のシーブと、第２のかごの両開きドアの一方のドアの開閉動作を、他方のドアに伝達する第２のシーブであって、両開きドアの一方の側と他方の側とにそれぞれ設けられた２つの回転体の間に配置された第２のシーブと、モータの動力を第１のシーブの一方の側の回転体に伝達する第３のシーブと、この第３のシーブと第１のシーブの一方の側の回転体との間の動力伝達を断続する第１のクラッチと、モータの動力を逆転して第１のシーブの他方の側の回転体に伝達するたすき掛けされた第４のシーブと、この第４のシーブと第１のシーブの他方の側の回転体との間の動力伝達を断続する第２のクラッチと、第１のシーブの一方の回転体と第２のシーブの一方の回転体との間に設けられ、第３のシーブの動力を第２のシーブに伝達する第５のシーブと、第１のシーブの他方の回転体と第２のシーブの他方の回転体との間に設けられ、第４のシーブの動力を第２のシーブに伝達する第６のシーブと、第３のシーブと第５のシーブとの間の動力伝達を断続する第３のクラッチと、第４のシーブと第６のシーブとの間の動力伝達を断続する第４のクラッチとを備えたダブルデッキエレベータのドア装置である。